(57)【要約】【課題】高所に設けられた架線近傍の撮影対象物を容易に撮影することができる撮影装置支持具を提供する。【解決手段】高所に設けられたき電線（架線）１１近傍の碍子（撮影対象物）１２を撮影する撮影装置５を支持する撮影装置支持具１において、電気的絶縁性を有し先端部近傍に撮影装置５を取り付け可能な絶縁棒２と、絶縁棒２の先端部近傍に取り付けられたストッパ３と、を有し、ストッパ３は、絶縁棒２の側面から突出し、き電線１１の上に載置可能に構成されている。【選択図】図１
0003207585.tif 000002
【実用新案登録請求の範囲】
【請求項１】
高所に設けられた架線近傍の撮影対象物を撮影する撮影装置を支持する撮影装置支持具において、
電気的絶縁性を有し先端部近傍に前記撮影装置を取り付け可能な絶縁棒と、
前記絶縁棒の先端部近傍に取り付けられたストッパと、を有し、
前記ストッパは、前記絶縁棒の側面から突出し、前記架線の上に載置可能に構成されていることを特徴とする撮影装置支持具。
【請求項２】
前記ストッパは、前記絶縁棒の側面全周から突出していることを特徴とする請求項１に記載の撮影装置支持具。
【請求項３】
前記ストッパは、前記絶縁棒の長さ方向に間隔をあけて複数設けられていることを特徴とする請求項１又は２に記載の撮影装置支持具。
【考案の詳細な説明】
【技術分野】
【０００１】
本考案は、高所に設けられた架線近傍の撮影対象物を撮影する撮影装置を支持する撮影装置支持具に関する。
【背景技術】
【０００２】
従来、き電線を支持する碍子を点検する際に、碍子を撮影してその画像で碍子の状況を点検することが行われている。高所にある碍子を撮影する際には、例えば、地上から碍子まで達する長さの絶縁棒の先端にカメラなどの撮影装置取り付けて、この撮影装置を碍子の高さまで上げて碍子を撮影している（例えば、特許文献１参照）。
【先行技術文献】
【特許文献】
【０００３】
【特許文献１】特開２００３−９３２６号公報
【考案の概要】
【考案が解決しようとする課題】
【０００４】
しかしながら、撮影装置が取り付けられた絶縁棒は１０ｍ程度となることもあり、地上から撮影装置の位置を微調整することが困難なことがある。また、碍子を撮影する際に風が吹くと絶縁棒が撓ってしまい、撮影装置を所望の位置に設置することが困難なことがある。
【０００５】
そこで、本考案は、高所に設けられた架線近傍の撮影対象物を容易に撮影することができる撮影装置支持具を提供することを目的とする。
【課題を解決するための手段】
【０００６】
上記目的を達成するため、本考案に係る撮影装置支持具は、高所に設けられた架線近傍の撮影対象物を撮影する撮影装置を支持する撮影装置支持具において、電気的絶縁性を有し先端部近傍に前記撮影装置を取り付け可能な絶縁棒と、前記絶縁棒の先端部近傍に取り付けられたストッパと、を有し、前記ストッパは、前記絶縁棒の側面から突出し、前記架線の上に載置可能に構成されていることを特徴とすることを特徴とする。
【０００７】
本考案では、絶縁棒を立設させてストッパを架線の上に載置させることにより、絶縁棒を立設させただけの状態と比べて絶縁棒が風などで撓ることを防止できる。また、ストッパを介して絶縁棒が架線に支持されるため、絶縁棒の先端に取り付けられた撮影装置の位置が安定し、微調整を行いやすくなる。その結果、絶縁棒の先端部に取り付けられた撮影装置で高所に設けられた架線近傍の撮影対象物を容易に撮影することができる。
【０００８】
また、本考案に係る撮影装置支持具では、前記ストッパは、前記絶縁棒の側面全周から突出していることが好ましい。
このような構成とすることにより、ストッパを架線の上に載置した状態で絶縁棒を回転させてもストッパが常に架線に載置しているため、絶縁棒を回転させて撮影装置の向きを調整することができる。また、架線に対して絶縁棒を斜めにして撮影する場合でもストッパを架線の上に載置した状態とすることができる。
【０００９】
また、本考案に係る撮影装置支持具では、前記ストッパは、前記絶縁棒の長さ方向に間隔をあけて複数設けられていてもよい。
このような構成とすることにより、複数のストッパのうちの任意のストッパを架線の上に載置することにより、撮影装置の高さを調整することができる。また、異なる高さの撮影対象物を撮影する際に、架線の上に載置するストッパを変更することにより、異なる高さの撮影対象物を連続して撮影することができる。
【考案の効果】
【００１０】
本考案によれば、高所に設けられた架線近傍の撮影対象物を容易に撮影することができる。
【図面の簡単な説明】
【００１１】
【図１】本考案の実施形態に係る撮影装置支持具の一例を示す図である。
【図２】撮影装置支持具の上端部近傍を示す図である。
【図３】下側の碍子を撮影する様子を示す図である。
【図４】上側の碍子を撮影する様子を示す図である。
【考案を実施するための形態】
【００１２】
以下、本考案の実施形態による撮影装置支持具について、図１乃至図４に基づいて説明する。
図１に示すように、本実施形態による撮影装置支持具１は、高所に設けられた鉄道のき電線（架線）１１を支持する碍子（撮影対象物）１２を撮影する際に用いられている。撮影された碍子１２の画像は、碍子１２の点検に使用されている。
本実施形態では、き電線１１は地上約１０ｍの高さに設けられていて、上下方向に連結された２つの碍子１２Ａ，１２Ｂに支持されている。
撮影装置支持具１は、電気的絶縁性を有する絶縁棒２と、絶縁棒２の一方の先端部近傍に取り付けられ２つのストッパ３，３と、絶縁棒２の他方の先端部に取り付けられた足踏み金具４と、を有している。
【００１３】
絶縁棒２、少なくとも表面が絶縁性を有する樹脂などの材料で形成されている。絶縁棒２は、長さ方向に伸縮可能で、本実施形態では伸長状態で１０ｍ程度となるように設定されている。絶縁棒２は、筒状の第１部材２１と、第１部材２１に挿通可能な棒状の第２部材２２とを有している。絶縁棒２は、第２部材２２を第１部材２１に挿通させた状態で長さ方向に移動させて固定することにより、長さ寸法を調整可能に構成されている。
絶縁棒２は、一方の先端部が上側、他方の先端部が下側となる向きで使用される。以下では、絶縁棒２の一方の先端部を上端部２ａとし、他方の先端部を下端部２ｂとする。
【００１４】
絶縁棒２は、上端部２ａ近傍に取付部材（不図示）を介して撮影装置５を着脱可能に構成されている。撮影装置５は遠隔操作可能に構成されている。撮影装置５で撮影された画像は、別に設けられたタブレットなどの端末装置（不図示）などによって確認可能となっている。また、この端末装置によって、撮影装置５の焦点合わせや各種設定もできるようになっている。
碍子１２の傘状の磁器部１２１の上面には、その碍子１２の製造年が記載されている。
本実施形態では、碍子１２の製造年が記載された部分１２１ａを撮影するため、撮影装置５は上側から下側を撮影可能となるように取付部材を介して絶縁棒２に取り付けられている。
【００１５】
図２に示すように、２つのストッパ３，３は、それぞれ例えばエチレン酢酸ビニル共重合樹脂などの樹脂材料で、円板状に形成されている。ストッパ３，３には、それぞれ中央に厚さ方向に貫通する孔部３１が形成されている。本実施形態では、２つのストッパ３，３は、それぞれ外径が約１００ｍｍ、厚さが約１３ｍｍ、孔部３１の内径が約２０ｍｍから３０ｍｍに形成されている。
２つストッパ３，３は、それぞれ孔部３１に絶縁棒２が貫通していて、絶縁棒２の長さ方向に間隔をあけた位置において絶縁棒２に固定されている。例えば、絶縁棒２の２つストッパ３，３がそれぞれ設置される位置に樹脂製のテープが巻かれていて、樹脂製のテープの外周がストッパ３，３の孔部３１と嵌合することでストッパ３，３がそれぞれ絶縁棒２に固定されていてもよい。樹脂製のテープとしては、建物のドアや窓に使用するテープ状の気密パッキン（ドア・窓用気密パッキン）やビニールテープなどを用いてもよい。
本実施形態では、２つのストッパ３，３は、それぞれ絶縁棒２に着脱可能に構成されていて、絶縁棒２に対して所望の位置に固定することができる。
【００１６】
２つのストッパ３，３のうち絶縁棒２の上端部側のストッパ３を上側ストッパ３Ａとし、上側ストッパ３Ａよりも絶縁棒２の上端部と離間するストッパ３を下側ストッパ３Ｂとする。本実施形態では、上側ストッパ３Ａと下側ストッパ３Ｂとの間隔が約２００ｍｍに設定されていて、図１に示す上側碍子１２Ａの磁器部１２１と下側碍１２Ｂの磁器部１２１との間隔と略一致している。
撮影装置５は、上側ストッパ３Ａよりも絶縁棒２の上端部側に設置されている。本実施形態では、撮影装置５は、上側ストッパ３Ａよりも絶縁棒２の上端部側に約１３０ｍｍ向かった位置に設置されている。
【００１７】
図１に戻り、足踏み金具４は、絶縁棒２の下端部から側方に突出していて、絶縁棒２が地面に立設した際に地面に沿って配置されるように構成されている。足踏み金具４は、絶縁棒２が地面に立設された際に作業者が足で踏むことにより、絶縁棒２の位置を安定させるために設けられている。
【００１８】
次に碍子１２の撮影方法について説明する。
まず、絶縁棒２に撮影装置５、上側ストッパ３Ａおよび下側ストッパ３Ｂを取り付け、絶縁棒２を伸長させる。
撮影装置支持具１を立設させて図３に示すように、上側ストッパ３Ａをき電線１１の上に載置する。これにより撮影装置５が下側の碍子１２Ｂよりも上側に配置される。
上側ストッパ３Ａをき電線１１の上に載置したまま、撮影装置支持具１をき電線１１に沿って移動させたり、絶縁棒２を回転させたりして撮影装置を下側の碍子１２Ｂの磁器部１２１に記載された製造年を撮影可能な位置に設置する。このとき、必要に応じて足踏み金具４を踏んで撮影装置支持具１および撮影装置５の位置を固定する。
撮影装置５の位置が決定したら、撮影装置５で下側の碍子１２Ｂにおける製造年が記載された部分１２１ａを撮影し、撮影された画像を端末装置で確認する。
【００１９】
続いて、図４に示すように、絶縁棒２を持ち上げて、下側ストッパ３Ｂをき電線１１の上に載置する。これにより撮影装置５が上側の碍子１２Ａよりも上側に配置される。
下側ストッパ３Ｂをき電線１１の上に載置したまま、撮影装置支持具１をき電線１１に沿って移動させたり、絶縁棒２を回転させたりして撮影装置５を上側の碍子１２Ａの磁器部１２１に記載された製造年を撮影可能な位置に設置する。
撮影装置５の位置が決定したら、撮影装置５で上側の碍子１２Ａにおける製造年が記載された部分１２１ａを撮影し、撮影された画像を端末装置で確認する。
【００２０】
次に、上述した撮影装置支持具１の作用・効果について図面を用いて説明する。
上述した本実施形態による撮影装置支持具１では、絶縁棒２を立設させてストッパ３をき電線１１の上に載置させることにより、絶縁棒２を立設させただけの状態と比べて絶縁棒２が風などで撓ることを防止できる。また、ストッパ３を介して絶縁棒２がき電線１１に支持されるため、絶縁棒２の先端に取り付けられた撮影装置５の位置が安定し、微調整を行いやすくなる。その結果、絶縁棒２の先端部に取り付けられた撮影装置５で高所に設けられた碍子１２を容易に撮影することができる。
【００２１】
また、ストッパ３は、円板状に形成され、絶縁棒２の側面全周から突出していることにより、ストッパ３をき電線１１の上に載置した状態で絶縁棒２を回転させてもストッパ３が常にき電線１１に載置しているため、絶縁棒２回転させて撮影装置５の向きを調整することができる。また、き電線１１に対して絶縁棒２を斜めにして撮影する場合でもストッパ３をき電線１１の上に載置した状態とすることができる。
【００２２】
また、ストッパ３は、絶縁棒２の長さ方向に間隔をあけて複数設けられていることにより、複数のストッパ３うちの任意のストッパ３をき電線１１の上に載置することにより、撮影装置５の高さを調整することができる。また、異なる高さの碍子１２Ａ，１２Ｂを撮影する際に、き電線１１の上に載置するストッパ３を変更することにより、異なる高さの碍子１２Ａ，１２Ｂを連続して撮影することができる。
【００２３】
以上、本考案による撮影装置支持具の実施形態について説明したが、本考案は上記の実施形態に限定されるものではなく、その趣旨を逸脱しない範囲で適宜変更可能である。
例えば、上記の実施形態では、ストッパ３は、円板状に形成されているが、多角形や所望の形状に形成されていてもよい。また、ストッパ３は、絶縁棒２を囲繞せず、絶縁棒２の外周の一部のみから突出する部材でもよいし、外周に沿って間隔をあけた複数の部分からそれぞれ突出する部材であってもよい。また、ストッパ３は、絶縁棒２に固定されていれば、絶縁棒２が貫通する孔部３１が形成されていなくてもよい。
また、上記の実施形態では、ストッパ３は、エチレン酢酸ビニル共重合樹脂などの樹脂材料で形成されているが、ストッパ３を形成する材料は適宜設定されてもよい。
【００２４】
また、上記の実施形態では、２つのストッパ３が設けられているが、１つや３つ以上のストッパ３が設けられていてもよい。また、複数のストッパ３が設けられている場合は、ストッパ３の間隔を適宜設定されてよい。
また、上記の実施形態では、碍子１２の磁器部１２１の上面に記載された製造年を確認するために碍子１２の磁器部１２１の上面における製造年が記載された部分１２１ａを撮影しているが、磁器部１２１の下側のピン部など他の箇所を撮影してもよい。
また、上記の実施形態では、撮影装置はストッパ３の上側（絶縁棒２の上端部側）に取り付けられているが、ストッパ３の下側に取り付けられてもよい。また、上下に間隔をあけて配置された２つのストッパ３の間に取付けられていてもよい。
【００２５】
また、上記の実施形態では、ストッパ３は、絶縁棒２に巻き付けられた樹脂製のテープによって絶縁棒２に固定されているが、樹脂製のテープ以外を用いて固定されていてもよい。
また、上記の実施形態では、撮影装置支持具１に支持された撮影装置で碍子１２を撮影しているが、碍子１２以外の撮影対象物を撮影してもよい。
また、上記の実施形態では、き電線１１の上にストッパ３を載置しているが、き電線１１以外のき電線１１の上に載置してもよい。
また、上記の実施形態では、絶縁棒２には、足踏み金具４が取り付けられているが、足踏み金具４が取り付けられていなくてもよい。
【符号の説明】
【００２６】
１  撮影装置支持具
２  絶縁棒
３  ストッパ
１１  き電線（架線）
１２，１２Ａ，１２Ｂ  碍子（撮影対象物）
【図１】
0003207585.tif 000003
【図２】
0003207585.tif 000004
【図３】
0003207585.tif 000005
【図４】
0003207585.tif 000006